(57)【要約】【課題】既設の架空線を損傷させることなく、スムーズに線条類を上越しできる架空線上越し具を提供する。【解決手段】線条類１２を既設の架空線１００の上を越えさせて配置させる架空線上越し具であり、地上側からの操作で既設の架空線１００近傍に一端１４Ｕ側を配置させるように一方に長く形成される操作杆１４と、操作杆１４に支持され、架空線１００の上方を横切るように操作杆１４の一端から横向きに延設されるガイド体であって、線条類１２を架空線１００に対して非接触で上越しして、架空線１００の上越し先位置Ｆｒに案内するガイド体１６と、線条類１２の一端側に接続され、ガイド体１６に案内されて線条類１２を架空線１００に対して非接触で上越し、上越し先位置Ｆｒで線条類１２の一端側を先導降下させる錘１８と、を含むことを特徴とする架空線上越し具１０から構成される。【選択図】図１
0003154658.tif 000002
【実用新案登録請求の範囲】
【請求項１】
線条類を既設の架空線の上を越えさせて配置させる架空線上越し具であり、
地上側からの操作で既設の架空線近傍に一端側を配置させるように一方に長く形成される操作杆と、
操作杆に支持され、架空線の上方を横切るように操作杆の一端から横向きに延設されるガイド体であって、線条類を架空線に対して非接触で上越しして、架空線の上越し先位置に案内するガイド体と、
線条類の一端側に接続され、ガイド体に案内されて線条類を架空線に対して非接触で上越しし、上越し先位置で線条類の一端側を先導降下させる錘と、を含むことを特徴とする架空線上越し具。
【請求項２】
ガイド体は、線条類を案内する上越し通路を備えた剛性構造体からなり、
上越し通路の上方を上越し方向に沿って連続的に設けられた開口を含み、
開口を介して線条類の位置を上越し通路内位置と通路から外れてガイド体から離脱する位置とに変更自在に設けられた請求項１記載の架空線上越し具。
【請求項３】
ガイド体は、上方を開口した略Ｕ字状管からなる請求項２記載の架空線上越し具。
【請求項４】
ガイド体は、上越し通路が上越し元側から上越し先側に向けて下り傾斜するように設けられた請求項２又は３記載の架空線上越し具。
【請求項５】
ガイド体には、地上側から線条類が上越し元方向に引っ張られる際に、錘がガイド体から離脱するのを防止するストッパが設けられた請求項１ないし４のいずれか記載の架空線の上越し具。
【請求項６】
錘は、プラスチック製の中空容器内に重量調整用の液体又は粉粒体を封入して構成された請求項１ないし５のいずれかに記載の架空線上越し具。
【考案の詳細な説明】
【技術分野】
【０００１】
本考案は、電話線や通信ケーブル、電線等その他の線条類を既設の架空線の上を越えさせて配置させる架空線上越し具に関する。
【背景技術】
【０００２】
電話線等を各家庭に引き込み配線する場合等、屋外で新しく線条類を架設する際には、既設の架空線が邪魔になることがあり、新規な線条類を該架空線の上を越えさせて配線しなければならない場合がある。架空線を上越しして配線させるための技術として、例えば、特許文献１に架空線上越し用具が提案されている。特許文献１記載の上越し用具は、先端に略Ｙ字形の引っ掛け具を取り付けたポールと、Ｙ字形の引っ掛け具への引っ掛け部を有する重錘と、を備えている。そして、重錘に線状体を接続し、この重錘の引っ掛け部をポールの先端の引っ掛け具に引っ掛けた状態で、ポールの先端を架空線より高く上げて、重錘を架空線の上を手前側から向う側へ越えさせる。その後、ポールを引き下ろして引っ掛け具を架空線に接触させながら下降させ、引っ掛け具の先端が架空線を通り過ぎた際に重錘が引っ掛け部から引き抜かれ、該重錘がその重量により線状体を引っ張りながら落下することにより上越しさせるものであった。
【先行技術文献】
【特許文献】
【０００３】
【特許文献１】特開２００２−３００７０７号公報
【考案の概要】
【考案が解決しようとする課題】
【０００４】
特許文献１の上越し用具では、重錘を架空線の上を手前側から向う側へ越えさせた後には、架空線に上越し用具の引っ掛け具を接触させた状態で重錘の離脱操作を行なうとともに、重錘が落下する際には上越しされる線条体が架空線に直接接触しながら引っ張られるようになっている。したがって、架空線に上越し用具が接触したり、重錘の重量が架空線にかかることにより、架空線が損傷するおそれがあると同時に、長い線条体が架空線の略同一箇所に直接接触しながら下方に引っ張られることにより、一部分に大きな摩擦がかかるため、架空線の被覆が剥げたり、一部断線等の損傷するおそれがあった。架空線が損傷すると、通信障害や電力供給障害等を含む障害や事故が生じるので、架空線の補修や取替え工事を行う必要があり、多大な損害が生じる問題があった。また、架空線がスパイラルハンガーのような支持線を介して架設されていたり、複数の線を束にして架設されていたりする場合には、上越し用具や、重錘、線条体等が、架空線やスパイラルハンガー等に引っ掛かってしまって、スムーズに上越し操作をできないおそれがあり、使い勝手が悪く適用場面が限定されてしまう問題があった。
【０００５】
本考案は、上記従来の課題に鑑みてなされたものであり、その一つの目的は、既設の架空線を損傷させることなく、スムーズに線条類を上越しできる架空線上越し具を提供することにある。
【課題を解決するための手段】
【０００６】
上記課題を解決するために本考案は、線条類１２を既設の架空線１００の上を越えさせて配置させる架空線上越し具であり、地上側からの操作で既設の架空線１００近傍に一端１４Ｕ側を配置させるように一方に長く形成される操作杆１４と、操作杆１４に支持され、架空線１００の上方を横切るように操作杆１４の一端から横向きに延設されるガイド体であって、線条類１２を架空線１００に対して非接触で上越しして、架空線１００の上越し先位置Ｆｒに案内するガイド体１６と、線条類１２の一端側に接続され、ガイド体１６に案内されて線条類１２を架空線１００に対して非接触で上越しし、上越し先位置Ｆｒで線条類１２の一端側を先導降下させる錘１８と、を含むことを特徴とする架空線上越し具１０から構成される。
【０００７】
また、ガイド体１６は、線条類１２を案内する上越し通路２６を備えた剛性構造体からなり、上越し通路２６の上方を上越し方向に沿って連続的に設けられた開口３０を含み、開口３０を介して線条類１２の位置を上越し通路２６内位置と通路から外れてガイド体１６から離脱する位置とに変更自在に設けられたこととしてもよい。
【０００８】
また、ガイド体１６は、上方を開口３０した略Ｕ字状管２８からなることとしてもよい。
【０００９】
また、ガイド体１６は、上越し通路２６が上越し元側（２８ａ）から上越し先側（２８ｂ）に向けて下り傾斜するように設けられたこととしてもよい。
【００１０】
また、ガイド体１６には、地上側から線条類１２が上越し元方向に引っ張られる際に、錘１８がガイド体１６から離脱するのを防止するストッパ３６が設けられたこととしてもよい。
【００１１】
また、錘１８は、プラスチック製の中空容器内に重量調整用の液体（Ｗ）又は粉粒体を封入して構成されたこととしてもよい。
【考案の効果】
【００１２】
本考案の架空線上越し具によれば、線条類を既設の架空線の上を越えさせて配置させる架空線上越し具であり、地上側からの操作で既設の架空線近傍に一端側を配置させるように一方に長く形成される操作杆と、操作杆に支持され、架空線の上方を横切るように操作杆の一端から横向きに延設されるガイド体であって、線条類を架空線に対して非接触で上越しして、架空線の上越し先位置に案内するガイド体と、線条類の一端側に接続され、ガイド体に案内されて線条類を架空線に対して非接触で上越しし、上越し先位置で線条類の一端側を先導降下させる錘と、を含むことから、ガイド体を介して線条類を案内しながら架空線に対して非接触状態で上越しさせるので、線条類と架空線とが接触及び上越し具と架空線とが接触することがなく、架空線の損傷を良好に防止しながら上越し作業を行える。さらに、架空線の構成に関わらず、線条類をスムーズに上越しさせることができるので、使い勝手がよく、実用性が高い。
【００１３】
また、ガイド体は、線条類を案内する上越し通路を備えた剛性構造体からなり、上越し通路の上方を上越し方向に沿って連続的に設けられた開口を含み、開口を介して線条類の位置を上越し通路内位置と通路から外れてガイド体から離脱する位置とに変更自在に設けられた構成とすることにより、上越し作業が終わった際に、操作杆の地上側からの操作で開口を介してガイド体を線条類から簡単に離脱させることができる。
【００１４】
また、ガイド体は、上方を開口した略Ｕ字状管からなる構成とすることにより、ガイド体を簡単な構造で具体的に実現できる。
【００１５】
また、ガイド体は、上越し通路が上越し元側から上越し先側に向けて下り傾斜するように設けられた構成とすることにより、下り傾斜された上越し通路に沿って錘を重力で落下させやすく、線条類の上越し操作を簡単に行なえる。
【００１６】
また、ガイド体には、地上側から線条類が上越し元方向に引っ張られる際に、錘がガイド体から離脱するのを防止するストッパが設けられた構成とすることにより、ストッパにより錘の上越し元側への離脱を防止し、該錘を上越し先側からのみ落下させて、上越し作業の確実性を向上しうる。
【００１７】
また、錘は、プラスチック製の中空容器内に重量調整用の液体又は粉粒体を封入して構成されたこととすることにより、プラスチック等の軽量素材を用いて錘を比較的軽量に製造することができ、ガイド体及び操作杆にかかる重量負荷を低減した構成を実現できる。よって、操作杆の強度確保に伴う上越し具全体の重量化等を防止できる。また、必要に応じて液体や粉粒体を出し入れして錘の重量を増減できるようにすると、使い勝手を向上しうる。
【図面の簡単な説明】
【００１８】
【図１】本考案の第１の実施形態に係る架空線上越し具の一部省略斜視図である。
【図２】図１の架空線上越し具の操作杆を分解した状態の説明図である。
【図３】図１の架空線上越し具の側面図の上部拡大図である。
【図４】図１の架空線上越し具の平面図である。
【図５】図４のＡ−Ａ線断面の要部説明図である。
【図６】図１の架空線上越し具の作用説明図である。
【図７】図１の架空線上越し具の作用説明図である。
【図８】本考案の第２の実施形態に係る架空線上越し具の一部省略斜視図である。
【図９】線条類を架空線に対して上越しする際の概略説明図である。
【考案を実施するための形態】
【００１９】
以下、添付図面を参照しつつ本考案の架空線上越し具の実施の形態について説明する。本考案の架空線上越し具は、例えば、図９に示すように、電話線や通信線、電線、ケーブル類等又はそれらの呼び線や先導線となる紐体、ロープ、ワイヤ等の線条類１２を既設の架空線１００の上を越えさせて配置するのに適用される上越し具である。図１ないし図７は、本考案に係る架空線上越し具の第１の実施形態を示している。図１に示すように、本実施形態において、架空線上越し具１０は、操作杆１４と、ガイド体１６と、線条類１２に接続される錘１８と、を備えている。
【００２０】
本実施形態に係る架空線上越し具１０により、既設の架空線１００を上越させる線条類１２は、例えば、配線目的の電話線等に先立って上越される先導線からなる。先導線は例えば比較的軽量な紐体からなる。線条類１２の端部には目的の電話線または電話線の呼び線等を接続しておき、架空線上越し具１０を介して架空線１００を上越しさせた後に該線条類１２を上越し先側から引っ張ることによって、目的の電話線等を上越しさせる。
【００２１】
図１に示すように、操作杆１４は、一方に長く形成された長尺杆体である。操作杆１４は、既設の架空線１００の架設高さに応じた長さで設けられており、地上側（１４Ｄ）からの操作で架空線１００近傍に一端１４Ｕ側を配置させる長さで設定される。本実施形態では、操作杆１４は、例えば、約５ｍ程度の長さに設けられており、アルミニウム合金等の合金又は金属等の硬質素材で形成された直線状に長い直管部材からなる。図２にも示すように、操作杆１４は、長手方向に３つに分割された分割杆１４１、１４２、１４３を連結部２０を介して分割・連結自在に構成して１本の長尺杆体を形成している。第１〜第３の分割杆１４１、１４２、１４３は、例えば、それぞれ中空直管部材からななり、端部に互いの連結要素が形成される。第１分割杆１４１は、一端側にガイド体１６が設けられている。連結部２０は、例えば、第１分割杆１４１と第２分割杆１４２どうし、及び第２分割杆１４２と第３分割杆１４３どうしを雌雄嵌合する嵌合構造からなる。具体的には、第１分割杆１４１、第２分割杆１４２の他端側に径を小さく形成した挿込み凸部２２が形成されている。一方、第２分割杆１４２、第３分割杆１４３の一端側には、該挿込み凸部２２を嵌合状に受け入れる挿込み凹部２４が形成されている。例えば、操作杆１４は、持ち運ぶ際には３分割してコンパクトとし、現場で使用する際に、それらを連結して所定の長さにされる。なお、連結部２０には、嵌合状態をロックするように、例えば、ネジやクリップ等、その他のロック機構が設けられていてもよい。また、操作杆１４の長さは任意でよく、現場の既設の架空線の高さ等に応じて設定されるとよい。
【００２２】
図１、図３、図４に示すように、ガイド体１６は、線条類１２を架空線１００に対して非接触で上越しながら架空線１００の上越し先Ｆｒ位置に案内する上越しガイド手段である。ガイド体１６は、操作杆１４の一端側１４Ｕに支持され、操作杆１４の一端から横向きに延設されており、架空線１００近傍に配置させた際には、架空線１００の上方を横切るようになっている。本実施形態では、ガイド体１６は、線条類１２を案内する上越し通路２６を備えた樋状の剛性構造体からなる。ガイド体１６は、地上側から上方に延長された線条類１２を上越し通路２６内に貫通状に通係させながら、先端側を地上側に降下させて、架空線１００の上空に逆Ｕ字状に掛け渡し案内する。ガイド体１６は、例えば、両端を開口した金属製の円筒管の管壁の一部を円筒軸方向に連続的に切り欠いて開口３０が設けられた略Ｕ字状管２８からなる。略Ｕ字状管２８は、円筒軸を横向きにした状態で切欠き開口３０を上方側に向けて操作杆１４に固定されている。略Ｕ字状管２８の円筒内部空間が直線状の上越し通路２６となり、上越し通路２６の上方に上越し方向に沿って開口３０が連続的に設けられている。
【００２３】
略Ｕ字状管２８は、例えば、一端側２８ａ寄り位置を操作杆の一端１４Ｕ上に溶接等により固定され片持ち状に支持されており、操作杆１４に対して逆Ｌ字状に配設されている。略Ｕ字状管２８は、操作杆で操作により、操作杆１４に略Ｕ字状管２８と操作杆１４とがなす逆Ｌ字の内側に架空線１００が位置されると、架空線１００の上方に交差して架空され、一端２８ａが上越し元Ｂｒ位置に、延長他端２８ｂが上越し先Ｆｒ位置に配置される。本実施形態では、略Ｕ字状管２８は、例えば、一端２８ａ側から延長他端側２８ｂに向けて円筒軸が下り傾斜して設けられている。すなわち、略Ｕ字状管２８内の上越し通路２６が上越し元Ｂｒ側から上越し先Ｆｒ側に向けて下り傾斜するように設けられている。なお、略Ｕ字状管２８の両端口は、円筒軸に対しては斜めに形成されている。
【００２４】
開口３０は、案内して上越しさせた状態の線条類１２から略Ｕ字状管２８（ガイド体１６）を離脱させるための離脱用間隙である。開口３０は、例えば、略Ｕ字状管２８の直径よりも狭い幅でかつ一定の幅で直線的に形成されている。図７に示すように、開口３０を介して、線条類１２の位置を上越し通路２６内位置（図上、一点鎖線）と、上越し通路から外れて離脱する位置（図上、二点鎖線）と、に変更自在に設けられている。これにより、線条類１２の上越し作業後には、例えば、操作杆の地上側からの操作で、略Ｕ字状管２８を該線条類１２から簡単に離脱させることができる。なお、略Ｕ字状管２８は、切欠き円筒管に限らず、上方を開口し下方と左右両側を閉鎖した断面が略Ｕ字状となるようにした管部材であればよい。例えば、半円筒管、上方を開口した略コ字状管等その他任意の構成でもよい。また、略Ｕ字状管２８は、長手方向の中間位置を操作杆１４に接続されていても良い。また、略Ｕ字状管２８は、操作杆１４に対して略直角状に接続されていても良い。また、略Ｕ字状管２８は、必要に応じて管の外壁の一部を補強してもよい。
【００２５】
図１、図３、図５に示すように、錘１８は、線条類１２の一端側に接続されてその重量により線条類１２の一端側を先導降下させる線条類の先導手段である。本実施形態では、錘１８は、略Ｕ字状管２８の上越し通路２６内に収容状に配置可能となっており、該上越し通路２６に案内されながら移動しうる。そして、錘１８は、略Ｕ字状管の延長他端２８ｂ側、すなわち上越し先Ｆｒ側から略Ｕ字状管の外部に離脱した後、線条類１２を架空線１００に対して非接触で上越ししつつ、該上越し先位置で重力作用により線条類１２の一端側を下方に先導する。錘１８は、略Ｕ字状管２８が下り傾斜して設けられているので、線条類を解放すると重力により傾斜に沿って移動して落下する。錘１８は、例えば、略Ｕ字状管２８の内径よりも小さく形成されたプラスチック製の中空容器に重量調整用の水を封入して構成されている。本実施形態では、錘１８は、例えば、内部に中空空間を有し一部を開口した容器本体３４と、容器本体３４の開口を密封閉鎖するように容器本体３４に対して着脱可能に一体的に連結される蓋体３２と、を含み、容器本体３４内に水Ｗが封入されて重量化されている。蓋体３２の後端面に線条類１２の一端が固定されている。例えば、蓋体３２は、略Ｕ字状管の内径より若干小さな径で設けられた短円筒状に形成されており、容器本体３４は、蓋体３２よりも小さな径で先端を丸くした略弾丸形状に形成されている。なお、錘１８は、略Ｕ字状管２８の開口３０の幅よりも大きく形成されており、開口３０からは離脱しないようになっている。錘１８は上記形態に限らず、例えば、円筒体や球体、楕円球体、立方体、その他ブロック体等の任意の形状でもよい。錘１８はガイド体の形状等に応じた形状、大きさで設定されるとよい。また、錘１８内には水に限らず、重量調整用として例えば油やその他の液体又は、砂や金属粒等の粉粒体を封入してもよい。また、液体や粉粒体は、中空容器内に直接入れて封入してもよいし、液体や粉粒体を袋に詰めたものを中空容器内に保持させてもよい。また、錘１８内に入れる液体や粉粒体の量を増減して、錘１８の重量を増減調整できるようにしてもよい。また、錘１８は、金属塊等で構成してもよい。また、本実施形態では、錘１８に線条類１２を固定しているが、錘に対して線条類を着脱できるように構成してもよい。また、錘１８には、先導線を介さずに配線目的の電話線等を着脱可能に接続するようにしてもよい。
【００２６】
図１、図５に示すように、略Ｕ字状管２８の一端２８ａ側には、略Ｕ字状管に支持させた錘１８が該略Ｕ字状管から離脱するのを防止するストッパ３６が設けられている。よって、錘１８は、略Ｕ字状管２８に対して一端２８ａ側からはストッパ３６により離脱されず、延長端２８ｂ側すなわち上越し先Ｆｒ位置側からのみ離脱するようになっている。ストッパ３６は、本実施形態では、例えば、略Ｕ字状管２８の内壁から内側に突出して縮径するように設けられており、略Ｃ字状に曲成された帯板部材からなるストッパ部材３８を略Ｕ字状管２８の内壁に溶接等により固定して構成されている。なお、ストッパ３６の中央部分は、線条類１２を貫通状に通係するように開放が維持されるとともに、上方側は略Ｕ字状管２８の開口３０に連通して開口形成される。錘１８を略Ｕ字状管２８内に支持させた状態で、地上側から線条類１２を引っ張ると該錘１８は上越し元Ｂｒ方向に引っ張られるが、この際に、ストッパ３６により略Ｕ字状管からの離脱を防止できるので使いやすい。なお、ストッパ３６の構造は、例えば、略Ｕ字状管２８の内側に突出した１個又は複数個の突起を設けて構成したり、略Ｕ字状管の一部に段付け加工やくびれ加工を施して構成したり、又はＵ字状管の径を次第に狭くなるようにテーパ状に形成させて構成したり、その他錘の離脱を規制する構造であれば任意でもよい。
【００２７】
次に、本考案に係る架空線上越し具１０の作用について説明する。図６（ａ）に示すように、錘１８に一端を固定した先導線としての線条類１２の延長端側に配線目的の電話線１２Ｔ（又はその呼び線）等を接続しておく。ガイド体１６内に錘１８を保持させた状態で操作杆１４を立て、地上側から操作杆を操作してガイド体を上昇させて、該ガイド体１６を架空線１００の上方に横切らせて配置させる。この際、錘１８が落下しないように、線条類１２の地上側に延長している部分を手で持っておく。図６（ｂ）に示すように、線条類１２を放すと、錘１８は自身の重量により傾斜したガイド体１６の上越し通路２８内を滑り落ち、延長他端２８ｂ側から離脱して下方に落下する。錘１８の落下に伴って一端側が下方に引っ張られ、線条類１２はガイド体１６に案内されつつ、架空線１００に対して非接触で上越される。これにより、架空線１００を損傷させることなく、スムーズに架空線上越し作業を行える。その後、線条類１２を架空線１００に対して上越した状態で、上越した先の地上側から線条類１２をさらに引っ張ることにより、該線条類１２に接続した電話回線１２Ｔ等を上越しさせる。この際にも、線条類１２に続く電話回線１２Ｔがガイド体１６に案内されるので、架空線１００の損傷を防止できる。図７に示すように、上越しさせた線条類１２、１２Ｔからガイド体１６を離脱させる際には、開口３０を介して簡単に離脱させることができる。
【００２８】
次に、図８を参照しつつ本発明の架空線上越し具の第２の実施形態について説明する。上記した実施形態と同一部材には同一符号を付し、その詳細な説明は省略する。図８に示すように、本実施形態に係る架空線上越し具１０ａは、操作杆１４ａの構造が伸縮構造で構成されている点が第１実施形態とは異なっており、その他のガイド体１６、錘１８等の構成は第１実施形態と同じである。操作杆１４ａは、例えば、径の異なる複数の管部材１４ａ１〜１４ａ４を嵌挿させた多重管構造により伸縮自在に構成されている。なお、図８では、操作杆１４ａを縮めた状態で示しており、現場にて伸長されて長い長尺杆として使用される。本実施形態でも、第１実施形態と同様の作用効果を奏し得る。さらに、操作杆１４ａを伸縮できるので、必要な長さへの伸長及び収縮操作を簡単に行なえ、操作性が良く、持ち運びもしやすい。
【００２９】
以上説明した本考案の架空線上越し具は、上記した実施形態のみの構成に限定されるものではなく、実用新案登録請求の範囲に記載した本考案の本質を逸脱しない範囲において、任意の改変を行ってもよい。
【産業上の利用可能性】
【００３０】
本考案の架空線上越し具は、例えば、電話線、通信ケーブル、光回線、電線等、又はそれらの先導線となる紐、ロープ、ワイヤ等、その他の種々の線条類を既設の架空線の上を越えさせて配置するのに利用できる。
【符号の説明】
【００３１】
１０、１０ａ    架空線上越し具
１２    線条類
１４、１４ａ    操作杆
１６    ガイド体
１８    錘
２６    上越し通路
２８    略Ｕ字状管
３０    開口
３６    ストッパ
【図１】
0003154658.tif 000003
【図２】
0003154658.tif 000004
【図３】
0003154658.tif 000005
【図４】
0003154658.tif 000006
【図５】
0003154658.tif 000007
【図６】
0003154658.tif 000008
【図７】
0003154658.tif 000009
【図８】
0003154658.tif 000010
【図９】
0003154658.tif 000011